(57)【要約】【課題】紙幣詰まり等の不具合が発生した際の売り上げ集計作業の負荷軽減を図る。【解決手段】紙幣再投入口６０は、常にはメンテナンス扉４１によって閉鎖されている。この紙幣再投入口６０は、例えば、入口近傍に紙幣検知センサを有している。紙幣再投入口６０に紙幣が投入されると、紙幣検知センサは紙幣の投入を検知して搬送駆動部３４に紙幣搬送のための駆動開始を指示し、紙幣の再投入が可能となるのである。このような構成とすることによって、一旦売り上げカウントされながら紙幣詰まり等の不具合発生によって紙幣回収器に回収できなかった紙幣を再投入することができるので、売り上げ計上金額の不整合が解消され、集計作業の負荷を軽減することが可能となる。【選択図】        図１１
2004254785.tif 000002
【特許請求の範囲】
【請求項１】
横方向に配列された遊技台の上方近傍に延在する取付板に個々の遊技台に対応して設置され、それぞれが接続されることによって遊技台配列方向に紙幣搬送を行う紙幣搬送装置を構成する紙幣搬送ユニットであって、
紙幣を投入するための紙幣投入口と、
回動自在に取り付けられ、投入された紙幣が正常な紙幣であるかを識別する紙幣識別器と、
投入された紙幣を搬送するための駆動力を発生させる搬送駆動部と、
搬送駆動部からの駆動力を伝達された紙幣が、次の紙幣搬送ユニットあるいは紙幣回収器に搬送されるために通過する搬送部と、
を有し、
紙幣投入口及び紙幣識別器によって形成される紙幣投入路を通過せずに次の紙幣搬送ユニットあるいは紙幣回収器に紙幣を搬送するための紙幣再投入口を有すること、
を特徴とする紙幣搬送ユニット。
【請求項２】
請求項１に記載の紙幣搬送ユニットにおいて、
前記紙幣再投入口は紙幣検知センサを有し、
紙幣再投入口に紙幣が投入されたとき、紙幣検知センサは紙幣を検知して搬送駆動部に紙幣搬送のための駆動開始を指示すること、
を特徴とする紙幣搬送ユニット。
【請求項３】
請求項１又は２に記載の紙幣搬送ユニットにおいて、
前記紙幣再投入口は、常にはメンテナンス扉によって閉鎖されており、
このメンテナンス扉は、さらに、
紙幣再投入口を閉鎖するとき、回動自在に取り付けられている紙幣識別器の開き動作を規制するストッパとしての役割を果たすこと、
を特徴とする紙幣搬送ユニット。
【請求項４】
請求項１から３のいずれか１に記載の紙幣搬送ユニットにおいて、
前記紙幣識別器は開閉検知センサを有し、
前記メンテナンス扉を開放するとともに回動自在に取り付けられている紙幣識別器が開状態となったとき、
開閉検知センサが紙幣識別器の開状態を検知して、搬送駆動部に紙幣搬送のための駆動開始を指示すること、
を特徴とする紙幣搬送ユニット。
【請求項５】
請求項１から４のいずれか１に記載の紙幣搬送ユニットにおいて、
前記搬送部は、
搬送路支持部と、
この搬送路支持部に着脱可能に設置され、紙幣再投入口が設けられる搬送路カバー部と、
から構成され、
搬送路支持部と搬送路カバー部が嵌合してその間に形成される空間が紙幣搬送通路となり、搬送路支持部と搬送路カバー部の対向する面がそれぞれ一方の紙幣搬送通路壁面を構成し、
この紙幣搬送通路と紙幣投入路との合流部に紙幣再投入口を設けたこと、
を特徴とする紙幣搬送ユニット。
【請求項６】
請求項５に記載の紙幣搬送ユニットにおいて、
前記紙幣搬送通路と紙幣投入路との合流部にメンテナンス扉を設けたこと、
を特徴とする紙幣搬送ユニット。
【請求項７】
請求項６に記載の紙幣搬送ユニットにおいて、
前記メンテナンス扉は、紙幣再投入口側の面によって紙幣搬送通路と紙幣投入路の合流部における紙幣搬送通路壁面を構成すること、
を特徴とする紙幣搬送ユニット。
【発明の詳細な説明】
【０００１】
【発明の属する技術分野】
本発明は、紙幣搬送ユニット、特に、遊技台の配列方向に紙幣搬送を行うべく遊技台に対応して設置される紙幣搬送ユニットの改良に関する。
【０００２】
【従来の技術】
パチンコ店等の遊技店では、パチンコ台やスロットマシン等の遊技台を横方向に直線状に配置して遊技島を形成しているのが一般的である。図１９には、遊技台２を複数台配列した遊技島１の例が示されている。図１９において、遊技台２はスロットマシンとして例示されている。遊技台２の間には、遊技台２の２台に１台の割合で、遊技媒体貸出機３が配設されている。図示するスロットマシンに対応する遊技媒体は、メダルであるので、この貸出機３はメダル貸出機である。遊技台がパチンコ台であれば、遊技媒体貸出機は、パチンコ玉貸出機となる。遊技島１には、さらに各遊技台２の上方に設けられた呼び出しランプ等の遊技島設備品５及びその上方にストック箱等を置いておく玉箱収納部６が設けられている。
【０００３】
上記した遊技島１は、図示しない柱部材と水平部材により構築された支持枠体内に各遊技台２及び遊技媒体貸出機３を組み込むとともに、各遊技台２の上方に遊技島設備品５及びストック箱等を置いておく玉箱収納部６を配置することにより組み立てられている。
【０００４】
一般的に、遊技島１に設置された遊技媒体貸出機３は、投入した紙幣を紙幣識別した後、内部の収納装置付紙幣識別装置に収納するように構成されている。遊技媒体貸出機３が投入された紙幣で満杯になったときは、遊技店の店員が遊技媒体貸出機３の前面扉を開き、収納装置付紙幣識別装置に収納された紙幣を手作業にて回収する必要があった。
【０００５】
これに対して、例えば下記特許文献１には、紙幣の手作業による回収を排除するため、各遊技媒体貸出機３が設置される遊技島内部に、紙幣搬送装置を備えた遊技島が提案されている。
【０００６】
例えば、図２０、図２１及び図２２に示されるように、遊技媒体の貸出のために投入された紙幣は、各遊技媒体貸出機３の上方に設けられた紙幣投入口３ａから紙幣識別装置３ｂを介して、紙幣を起立姿勢で搬送する紙幣搬送装置４により遊技島１の端部に設けた紙幣回収器８に搬送され、整列・収納されるようになっている。
【０００７】
このような構成の遊技島１によれば、各遊技台２に、遊技媒体貸出機３が設けられており、遊技者は、遊技台２に隣接した遊技媒体貸出機３の紙幣投入口３ａから紙幣を投入することにより、遊技媒体の貸出を受けることができる。また、店員は従来のように各遊技媒体貸出機３の内側の収納装置付紙幣識別装置に収納された紙幣をわざわざ巡回して回収する手作業がなくなる。
【０００８】
【特許文献１】
実開平０４−９０３８９号公報
【０００９】
【発明が解決しようとする課題】
しかしながら、上記特許文献１で示されている発明には、以下のような問題があった。紙幣投入口３ａから投入された紙幣は、紙幣識別装置３ｂによって正常な紙幣であると認識されると売り上げカウントされ、紙幣回収器８に備えられた制御部とホールコンピュータに売り上げが計上されている。しかし、紙幣搬送装置４において紙幣詰まり等の不具合が発生した場合には、紙幣回収器８まで紙幣が搬送されず、紙幣回収器８に備えられた制御部とホールコンピュータに計上された売上額と紙幣回収器８に回収された紙幣の合計金額との間に不整合が生じてしまうことになる。一般的に、紙幣詰まり等の不具合が発生した紙幣は、店員によって取り除かれた後、別に設けた金庫等に一時保管され、遊技店の閉店後に売り上げデータを修正するという作業が行われている。この集計作業は非常に面倒であるばかりでなく、店員による紙幣の抜き取り等の発生も考えられる。そのため、紙幣詰まり等で売り上げカウントされながら紙幣回収器８に搬送できなかった紙幣を再投入することによって、紙幣回収器８に備えられた制御部とホールコンピュータに計上された売上額と紙幣回収器８に回収された紙幣の合計金額との間に不整合を生じさせることのない紙幣搬送ユニットが求められていた。
【００１０】
本発明は、以上のような課題を解決するためになされたものであり、紙幣搬送ユニットに紙幣再投入口を設け、紙幣詰まり等の不具合が発生した紙幣をこの紙幣再投入口に再投入することによって、売り上げ集計作業の負荷軽減を図るものである。
【００１１】
【課題を解決するための手段】
以上のような課題を解決するために、本発明に係る紙幣搬送ユニットは、横方向に配列された遊技台の上方近傍に延在する取付板に個々の遊技台に対応して設置され、それぞれが接続されることによって遊技台配列方向に紙幣搬送を行う紙幣搬送装置を構成する紙幣搬送ユニットであって、紙幣を投入するための紙幣投入口と、回動自在に取り付けられて投入された紙幣が正常な紙幣であるかを識別する紙幣識別器と、投入された紙幣を搬送するための駆動力を発生させる搬送駆動部と、搬送駆動部からの駆動力を伝達された紙幣が、次の紙幣搬送ユニットあるいは紙幣回収器に搬送されるために通過する搬送部とを有する。この紙幣搬送ユニットは、紙幣投入口及び紙幣識別器によって形成される紙幣投入路を通過せずに次の紙幣搬送ユニットあるいは紙幣回収器に紙幣を搬送するための紙幣再投入口を有することを特徴とする。
【００１２】
また、本発明に係る紙幣搬送ユニットが有する前記紙幣再投入口は、紙幣検知センサを有している。紙幣再投入口に紙幣が投入されたとき、この紙幣検知センサは紙幣を検知して搬送駆動部に紙幣搬送のための駆動開始を指示することを特徴とする。
【００１３】
さらに、本発明に係る紙幣搬送ユニットが有する前記紙幣再投入口は、常にはメンテナンス扉によって閉鎖されている。このメンテナンス扉は、紙幣再投入口を閉鎖するとき、回動自在に取り付けられている紙幣識別器の開き動作を規制するストッパとしての役割を果たすことを特徴とする。
【００１４】
またさらに、本発明に係る紙幣搬送ユニットが有する前記紙幣識別器は、開閉検知センサを有しており、前記メンテナンス扉を開放するとともに回動自在に取り付けられている紙幣識別器が開状態となったとき、開閉検知センサが紙幣識別器の開状態を検知して、搬送駆動部に紙幣搬送のための駆動開始を指示することを特徴とする。
【００１５】
さらにまた、本発明に係る紙幣搬送ユニットが有する前記搬送部は、搬送路支持部と、この搬送路支持部に着脱可能に設置され、紙幣再投入口が設けられる搬送路カバー部とから構成されており、搬送路支持部と搬送路カバー部が嵌合してその間に形成される空間が紙幣搬送通路となり、搬送路支持部と搬送路カバー部の対向する面がそれぞれ一方の紙幣搬送通路壁面を構成し、この紙幣搬送通路と紙幣投入路との合流部に紙幣再投入口を設けたことを特徴とする。
【００１６】
本発明に係る紙幣搬送ユニットにおいては、前記紙幣搬送通路と紙幣投入路との合流部にメンテナンス扉を設けることが好適である。
【００１７】
さらに、前記メンテナンス扉は、紙幣再投入口側の面によって紙幣搬送通路と紙幣投入路の合流部における紙幣搬送通路壁面を構成することを特徴とする。
【００１８】
【発明の実施の形態】
以下、本発明に係る紙幣搬送ユニットの好適な実施の形態について、図を用いて説明する。図１は、本発明に係る紙幣搬送装置が適用される遊技島１０の概略構成を示す斜視図である。遊技島１０は、複数の遊技台１２を横方向に配列して構成されている。図示する遊技台１２はスロットマシンとして示されているが、他の種類、例えば、パチンコ台であってもよい。また、店内のレイアウトによっては、遊技台１２同士が背中合わせとなるように２列に配列することも可能である。各遊技台１２の間には、遊技媒体貸出機１４が配置される。また、各遊技台１２の背面に沿って遊技台１２の上方近傍に延在する取付板１６には、遊技台１２の配列ピッチと略同じ長さを有する紙幣搬送ユニット１８が配置され、各紙幣搬送ユニット１８が横方向に接続されることによって紙幣搬送装置２０を構成している。紙幣搬送ユニット１８が配置されたさらに上方には、ストック箱を置いておく玉箱収納部２２が設けられている場合の島もある。
【００１９】
紙幣搬送ユニット１８の紙幣投入口３３ａに投入された紙幣は、紙幣搬送ユニット１８内部に送り込まれ、下流側（図中左隣）の紙幣搬送ユニット１８に順次送られる。最終的に、紙幣は遊技島１０の端（図中左端）に設けられた紙幣回収器２４に送られ、ここに揃えて金種別もしくは混在して収容される。この紙幣回収器２４は、点灯ランプ２４ａを有しており、トラブル発生時には点灯ランプ２４ａを点灯あるいは点滅させて、店員にトラブル発生を報知することができる。また、紙幣搬送ユニット１８の前面には、遊技の内容や状況に応じた表示、動作を行うための操作部を有する呼び出しランプ２６が設けられている。
【００２０】
図２は、１つの紙幣搬送ユニット１８の構造を示す分解斜視図である。また、図３は、実際に使用される状態での紙幣搬送ユニット１８を示しており、搬送路蓋部３２を閉じることによって搬送本体部３１が収納された状態を示している。紙幣搬送ユニット１８は、取付板１６に固定設置される取付金具３０と、取付金具３０に設置されて紙幣の搬送を行う搬送本体部３１と、取付金具３０に開閉自在に設置されて搬送本体部３１を覆う搬送路蓋部３２とから構成されている。これら取付金具３０と搬送本体部３１と搬送路蓋部３２で構成されている紙幣搬送ユニット１８は、各遊技台の横幅と略同じ大きさで設置されることになる。なお、図示される紙幣搬送ユニット１８の場合、紙幣は右下から左上へと向けて送られる。また、搬送路蓋部３２を開閉する際には、紙幣投入口カバー３３に設置されている鍵を操作して開閉動作を行うことになる。
【００２１】
搬送本体部３１は、紙幣搬送ユニット１８の一端側に紙幣を投入するための紙幣投入口３３ａを有する紙幣投入口カバー３３と、投入された紙幣が正常な紙幣であるかを識別する紙幣識別器３４と、投入された紙幣を搬送するための駆動力を発生させる搬送駆動部３５と、搬送駆動部３５からの駆動力を伝達された紙幣が次の紙幣搬送ユニット１８あるいは紙幣回収器２４に搬送されるために通過する搬送部３６とを有している。なお、本実施の形態に係る紙幣搬送ユニット１８では、千円紙幣、二千円紙幣、五千円紙幣、一万円紙幣という全種類の紙幣を搬送することが可能となっている。
【００２２】
紙幣投入口カバー３３が有する紙幣投入口３３ａは、紙幣を紙幣識別器３４に正しく挿入するために設けられており、この紙幣投入口３３ａに対して、紙幣は起立姿勢で投入される。また、紙幣投入口カバー３３には動作ランプ３３ｂが設置されており、紙幣搬送ユニット１８が正常に運転されているときには青色のＬＥＤ（発光ダイオード）によって青色点灯し、トラブルが発生したときには、赤色のＬＥＤによって赤色点灯することになる。この動作ランプ３３ｂによって店員にトラブル発生を報知することができる。紙幣識別器３４には、磁気センサ等投入された紙幣の正偽及び券種を識別するためのセンサ類が装備されている。この紙幣識別器３４が備える識別装置については、周知のあらゆる紙幣識別技術を採用することが可能である。搬送駆動部３５は、駆動力を発生するモータとそのモータ回転軸に掛け回された搬送ベルトから構成されている。この搬送ベルトは、搬送駆動部３５から搬送部３６全体にわたって掛け回されている。搬送ベルトの対面には着脱自在なローラが設置されており、投入された紙幣は搬送ベルトとローラによって挟持され、搬送されることになる。このような機構によって、紙幣投入口３３ａから投入された紙幣は、次の紙幣搬送ユニット１８あるいは紙幣回収器２４に搬送される。なお、本実施の形態に係る紙幣搬送ユニット１８では、紙幣が投入されたときのみ搬送を実施する間欠運転が行われている。
【００２３】
紙幣搬送ユニット１８について、図４及び図５を用いてさらに詳細に説明する。図４は、本実施の形態に係る紙幣搬送ユニット１８の横断面を示す図であり、紙幣投入口カバー３３を外した状態を示している。また、図５は、図４で示した本実施の形態に係る紙幣搬送ユニット１８の外観斜視図である。
【００２４】
紙幣投入口３３ａから投入された紙幣は、矢印（Ａ）で示される紙幣投入路を通過することになる。ここで、紙幣識別器３４によって、不正な紙幣が投入されたと判断されると、紙幣識別器３４自身が備える駆動機構３８によって不正紙幣は払い出されることになる。なお、この駆動機構３８は、常には紙幣の搬送を行うものであり、紙幣の搬送及び排除という２種類の機能を果たしている。矢印（Ｂ）で示される主搬送路には、上流に設置されている別の紙幣搬送ユニット１８からの紙幣が搬送されてくる。紙幣投入路（Ａ）と主搬送路（Ｂ）は、分離ガイド４０によって分離されている。ここで、紙幣投入路（Ａ）と主搬送路（Ｂ）の合流部（Ｘ）において紙幣を接触させないため、紙幣投入路（Ａ）には、紙幣が待機できるだけの長さが確保されている。この待機長の確保によって、主搬送路（Ｂ）の搬送を優先して行うことになる。すなわち、主搬送路（Ｂ）から搬送されてくる紙幣を検知するためのセンサ（不図示）からの信号によって、主搬送路（Ｂ）に紙幣が搬送されているときには、紙幣投入路（Ａ）に投入された紙幣は搬送を停止して待機状態とし、主搬送路（Ｂ）の紙幣が合流部（Ｘ）を通過後に紙幣投入路（Ａ）の紙幣を搬送することになる。その後、紙幣は搬送部３６が形成する紙幣搬送通路（Ｃ）を通過する。このような搬送を行うことにより、搬送途中において紙幣が重なることはなく、一枚づつ正確に搬送することができるので、正確な売り上げカウントを行うことが可能となる。なお、投入された紙幣が正札であれば、遊技媒体貸出機１４から遊技媒体が貸し出されることになる。
【００２５】
紙幣搬送ユニット１８は、回動自在な紙幣識別器３４と開閉可能なメンテナンス扉４１を備えている。回動自在な紙幣識別器３４と開閉可能なメンテナンス扉４１は、紙幣投入路（Ａ）において紙幣詰まりが発生した場合に、紙幣投入路（Ａ）を開放して不具合対応をするために設けられている。
【００２６】
紙幣識別器３４、メンテナンス扉４１の動きについて図６及び図７を用いて詳細に説明する。なお、図６は、本実施の形態に係る紙幣搬送ユニット１８の横断面を示す図であり、紙幣識別器３４及びメンテナンス扉４１を開いた状態を示している。図７は、図６で示した本実施の形態に係る紙幣搬送ユニット１８の外観斜視図である。
【００２７】
本実施の形態に係る紙幣搬送ユニット１８が備えるメンテナンス扉４１は、紙幣投入路（Ａ）と主搬送路（Ｂ）の合流部（Ｘ）近傍に設けられている。メンテナンス扉４１は、閉じた状態において回動自在な紙幣識別器３４を押さえており、紙幣識別器３４の開放動作を規制するストッパとしての役割を果たしている。また、メンテナンス扉４１は、閉めた状態において紙幣投入路（Ａ）と主搬送路（Ｂ）の合流部（Ｘ）における紙幣搬送通路の壁面を構成している。（第４図参照）。紙幣投入路（Ａ）で紙幣詰まり等の不具合（例えば、紙幣が飲み込まれてしまい取り外しが不可能である場合。取り除く際に破損してしまうおそれがある場合等。）が発生した場合には、まず、メンテナンス扉４１を矢印（Ｉ）の方向に開いて詰まった紙幣を取り除くことになる。紙幣投入路（Ａ）は、前述したように、紙幣が待機できる長さを有しているので、メンテナンス扉４１を開けただけでは紙幣を取り除くことができない場合もある。その際には、回動可能な紙幣識別器３４を矢印（ＩＩ）の方向に開くことによって詰まった紙幣を取り除くことが可能となる。
【００２８】
なお、メンテナンス扉４１の取付構造については、周知のあらゆる取付構造を採用することが可能である。メンテナンス扉４１の取付構造の例としては、図８及び図９で示すような摺動部材５０ａ，５０ｂとその摺動部材５０ａ，５０ｂに嵌り止めされる固定ピン５１ａ，５１ｂという構成を採用しても良い。ここで、図８は、メンテナンス扉４１の取り付け位置及び構造を説明するための正面図である。また、図９において、図９（ａ）は、ロック状態のメンテナンス扉４１を示す外観斜視図であり、図９（ｂ）は、上側のロックを解除した状態のメンテナンス扉４１を示す外観斜視図である。
【００２９】
図８で示すような構造とすることによって、メンテナンス扉４１を上下開き及び取り外し可能な構造とすることが可能である。すなわち、上側の摺動部材５０ａをスライドさせて固定ピン５１ａから外すことによってメンテナンス扉４１を上開きとすることができる（第９図（ｂ）参照）。逆に、下側の摺動部材５０ｂをスライドさせて固定ピン５１ｂから外すことによってメンテナンス扉４１を下開きとすることができる。さらに、両方の摺動部材５０ａ，５０ｂを固定ピン５１ａ，５１ｂから外すことによってメンテナンス扉４１を取り外すことができる。
【００３０】
ここで、本実施の形態で特徴的なことは、紙幣投入路と主搬送路との合流部（Ｘ）近傍に紙幣再投入口６０を設けていることである。この紙幣再投入口６０について図を用いて詳細に説明する。
【００３１】
図１０は、本実施の形態に係る紙幣搬送ユニット１８の横断面を示す図であり、メンテナンス扉４１を開けた状態を示している。また、図１１は、図１０で示した本実施の形態に係る紙幣搬送ユニット１８の外観斜視図である。
【００３２】
図１０及び図１１からも明らかな通り、紙幣再投入口６０は、常にはメンテナンス扉４１によって閉鎖されている。この紙幣再投入口６０は、例えば、入口近傍に紙幣検知センサ６１を有している。紙幣再投入口６０に紙幣が投入されると、紙幣検知センサ６１は紙幣の投入を検知して搬送駆動部３４に紙幣搬送のための駆動開始を指示し、紙幣の再投入が可能となるのである。このような構成とすることによって、一旦売り上げカウントされながら紙幣詰まり等の不具合発生によって紙幣回収器２４に回収できなかった紙幣を再投入することができるので、売り上げ計上金額の不整合が解消され、閉店後の集計作業の負荷を軽減することが可能となる。
【００３３】
図１０及び図１１で示したような紙幣検知センサ６１を設けた理由は、一般的に、紙幣搬送ユニット１８においては、紙幣が投入されたときのみ搬送駆動機構が働く構成となっているためであり、常に搬送駆動部３４を駆動させる方式を採用しても良い。また、紙幣再投入時における紙幣搬送の駆動開始方法は、紙幣検知センサ６１を用いるものに限られるものではない。例えば、図１２及び図１３で示すように、搬送駆動部３４を開状態とすることによって搬送駆動部３４に設置された開閉検知センサ（不図示）が搬送駆動部３４の開状態を検知し、搬送駆動部３４に紙幣搬送のための駆動開始を指示してもよい。また、図１４及び図１５で示すように、搬送駆動部３４に備わる分割ユニット７０を開状態とすることにより、分割ユニット７０に設置された開閉検知センサ７１が分割ユニット７０の開状態を検知し、搬送駆動部３４に紙幣搬送のための駆動開始を指示することも可能である。
【００３４】
続いて、本実施の形態に係る紙幣搬送ユニット１８が有する搬送部３６について図１６、図１７及び図１８を用いて説明する。図１６は、本実施の形態に係る紙幣搬送ユニット１８が有する搬送部３６を示す図であり、搬送路カバー部４３が上開きの状態を示す図である。また、図１７は、本実施の形態に係る紙幣搬送ユニット１８が有する搬送部３６を示す図であり、搬送路カバー部４３が下開きの状態を示す図である。さらに、図１８は、本実施の形態に係る紙幣搬送ユニット１８が有する搬送部３６を示す図であり、搬送路カバー部４３を取り外した状態を示す図である。
【００３５】
搬送部３６は、取付金具に設置される搬送路支持部４２と、搬送路支持部４２に着脱可能に設置される搬送路カバー部４３とから構成されている。搬送路支持部４２と搬送路カバー部４３は、それぞれが有する取付構造４２ａ，４３ａ，４３ｂによって接続されている。また、搬送路支持部４２と搬送路カバー部４３は、お互いが嵌合することによってその間に空間を形成している。この空間が紙幣搬送通路（第４図中の矢印（Ｃ））となり、搬送路支持部４２と搬送路カバー部４３の対向する面がそれぞれ一方の紙幣搬送通路（Ｃ）壁面を構成している。
【００３６】
搬送路支持部４２と搬送路カバー部４３の大きさは、遊技台に対応して決定されている。すなわち、搬送路支持部４２と搬送路カバー部４３の長さを変更することによって紙幣搬送ユニット全体の大きさを調節し、遊技台に対応した大きさの紙幣搬送ユニットを提供することが可能となる。この際、搬送路支持部４２と搬送路カバー部４３が有する凹凸構造によって、切断加工を簡単に実施することが可能となっている。
【００３７】
なお、搬送路支持部４２と搬送路カバー部４３は、四隅に取付構造４２ａ，４３ａ，４３ｂを有している。さらに、搬送路カバー部４３が内側に有する取付構造４３ｂは摺動可能となっており、ストッパの役目を果たしている。すなわち、搬送路カバー部４３は、搬送路支持部４２に対して上下のどちら側でも開くことができ、さらに、取り外すことも可能である。したがって、本実施の形態に係る紙幣搬送ユニットは、紙幣詰まり等に対するメンテナンス性に大変優れた構造を有している。
【００３８】
【発明の効果】
以上述べたように、本発明によれば、紙幣搬送ユニットに紙幣再投入口を設けたので、紙幣詰まり等の不具合が発生した紙幣をこの紙幣再投入口に再投入することによって、閉店後の売り上げ集計作業の軽減を図ることが可能となる。
【図面の簡単な説明】
【図１】本発明に係る紙幣搬送装置が適用される遊技島の概略構成を示す斜視図である。
【図２】１つの紙幣搬送ユニットの構造を示す分解斜視図である。
【図３】実際に使用される状態での紙幣搬送ユニットを示しており、搬送路蓋部を閉じることによって搬送本体部が収納された状態を示す図である。
【図４】本発明に係る紙幣搬送ユニットの横断面を示す図であり、紙幣投入口を外した状態を示している。
【図５】図４で示した本発明に係る紙幣搬送ユニットの外観斜視図である。
【図６】本発明に係る紙幣搬送ユニットの横断面を示す図であり、メンテナンス扉及び紙幣識別器を開いた状態を示している。
【図７】図６で示した本発明に係る紙幣搬送ユニットの外観斜視図である。
【図８】メンテナンス扉の取り付け位置及び構造を説明するための正面図である。
【図９】メンテナンス扉の取り付け動作を説明するための図であり、図９中（ａ）は、ロック状態のメンテナンス扉を示す外観斜視図であり、図９中（ｂ）は、上側のロックを解除した状態のメンテナンス扉を示す外観斜視図である。
【図１０】本実施の形態に係る紙幣搬送ユニットの横断面を示す図であり、メンテナンス扉を開けた状態を示している。
【図１１】図１０で示した本実施の形態に係る紙幣搬送ユニットの外観斜視図である。
【図１２】紙幣再投入のための別の搬送駆動方式を説明するための、本実施の形態に係る紙幣搬送ユニットの横断面を示す図である。
【図１３】紙幣再投入のための別の搬送駆動方式を説明するための、図１２で示した本実施の形態に係る紙幣搬送ユニットの外観斜視図である。
【図１４】紙幣再投入のための別の搬送駆動方式を説明するための、本実施の形態に係る紙幣搬送ユニットの横断面を示す図である。
【図１５】紙幣再投入のための別の搬送駆動方式を説明するための、図１４で示した本実施の形態に係る紙幣搬送ユニットの外観斜視図である。
【図１６】本発明に係る紙幣搬送ユニットが有する搬送部を示す図であり、搬送路カバー部が上開きの状態を示す図である。
【図１７】本発明に係る紙幣搬送ユニットが有する搬送部を示す図であり、搬送路カバー部が下開きの状態を示す図である。
【図１８】本発明に係る紙幣搬送ユニットが有する搬送部を示す図であり、搬送路カバー部を取り外した状態を示す図である。
【図１９】従来の技術に係る遊技島を例示したものであり、遊技台を複数台配列した状態を示す図である。
【図２０】従来の技術に係る紙幣搬送装置を説明する図である。
【図２１】従来の技術に係る紙幣搬送装置を説明する図である。
【図２２】従来の技術に係る紙幣搬送装置を説明する図である。
【符号の説明】
１，１０  遊技島、２，１２  遊技台、３，１４  遊技媒体貸出機、３ａ，３３ａ  紙幣投入口、３ｂ  紙幣識別装置、４，２０  紙幣搬送装置、５  遊技島設備品、６，２２  玉箱収納部、８，２４  紙幣回収器、１６  取付板、１８  紙幣搬送ユニット、２４ａ  点灯ランプ、２６  呼び出しランプ、３０  取付金具、３１  搬送本体部、３２  搬送路蓋部、３３  紙幣投入口カバー、３３ｂ  動作ランプ、３４  紙幣識別器、３５  搬送駆動部、３６  搬送部、３８  排除機構、４０  分離ガイド、４１  メンテナンス扉、４２  搬送路支持部、４２ａ搬送路支持部取付構造、４３  搬送路カバー部、４３ａ，４３ｂ  搬送路カバー部取付構造、５０ａ，５０ｂ  摺動部材、５１ａ，５１ｂ  固定ピン、６０  紙幣再投入口、６１  紙幣検知センサ、７０  分割ユニット、７１  開閉検知センサ。
【図１】
2004254785.tif 000003
【図２】
2004254785.tif 000004
【図３】
2004254785.tif 000005
【図４】
2004254785.tif 000006
【図５】
2004254785.tif 000007
【図６】
2004254785.tif 000008
【図７】
2004254785.tif 000009
【図８】
2004254785.tif 000010
【図９】
2004254785.tif 000011
【図１０】
2004254785.tif 000012
【図１１】
2004254785.tif 000013
【図１２】
2004254785.tif 000014
【図１３】
2004254785.tif 000015
【図１４】
2004254785.tif 000016
【図１５】
2004254785.tif 000017
【図１６】
2004254785.tif 000018
【図１７】
2004254785.tif 000019
【図１８】
2004254785.tif 000020
【図１９】
2004254785.tif 000021
【図２０】
2004254785.tif 000022
【図２１】
2004254785.tif 000023
【図２２】
2004254785.tif 000024